【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
動画データを記憶する記憶手段と、前記動画データを構成するフレームと当該フレームの縮小画像とを表示する表示部とを備えた情報処理装置であって、
前記記憶手段に記憶された動画データを構成する複数のフレームの中から、前記表示部に表示する複数の縮小画像のフレームを特定する特定手段と、
前記特定手段で特定された複数のフレームの縮小画像を前記表示部に表示する表示手段と、
ユーザによる操作に従って、前記表示手段で表示された複数の縮小画像の中から縮小画像の選択を受け付ける第１の受付手段と、
前記表示手段により表示された複数の縮小画像のうち、前記第１の受付手段により選択を受け付けた縮小画像の前後の縮小画像に対するフレーム間にシーンの異なるフレームがあるか否かを判定する判定手段と、
を備え、
前記特定手段は、前記判定手段により、前記表示手段により表示された複数の縮小画像のうち、前記第１の受付手段により選択を受け付けた縮小画像の前後の縮小画像に対するフレーム間の中にシーンの異なるフレームがあると判定された場合は、当該異なると判定されたフレームを、前記表示部に表示する縮小画像のフレームとして特定することを特徴とする情報処理装置。
【請求項２】
前記特定手段により、前記判定手段による判定処理を行うか否かの設定を受け付ける設定受付手段を更に備え、
前記特定手段は、前記設定受付手段により前記判定手段による判定処理を行わない設定を受け付けた場合、前記表示手段により表示された複数の縮小画像のうち、前記第１の受付手段により選択を受け付けた縮小画像の前後の縮小画像に対するフレーム間の中から、前記判定手段による判定処理を行うことなく、前記表示部に表示する縮小画像のフレームを特定し、一方、前記設定受付手段により前記判定手段による判定処理を行う設定を受け付けた場合、前記判定手段により、前記表示手段により表示された複数の縮小画像のうち前記第１の受付手段により選択を受け付けた縮小画像の前後の縮小画像に対するフレーム間の中にシーンの異なるフレームがあると判定された場合は、当該異なると判定されたフレームを、前記表示部に表示する縮小画像のフレームとして特定することを特徴とする請求項１に記載の情報処理装置。
【請求項３】
前記特定手段で特定されたフレーム間のフレームの画素値と、該フレームの他のフレームであって前記特定手段で特定されたフレーム間のフレームの画素値との差を示す差異値を算出する算出手段を更に備え、
前記判定手段は、前記算出手段で算出された差異値に従って、前記特定手段で特定されたフレーム間にシーンが異なるフレームがあるかを判定することを特徴とする請求項１又は２に記載の情報処理装置。
【請求項４】
前記特定手段は、前記記憶手段に記憶された動画データを構成する複数のフレームの中から、前記表示部に表示する縮小画像の数に従って、前記表示部に表示する縮小画像のフレームを特定することを特徴とする請求項１乃至３の何れか１項に記載の情報処理装置。
【請求項５】
前記算出手段で算出された差異値に従って、前記表示部に表示する縮小画像の数を決定する決定手段を更に備え、
前記特定手段は、前記決定手段で決定された縮小画像の数に従って、前記記憶手段に記憶された動画データを構成する複数のフレームの中から、前記表示部に表示する複数の縮小画像のフレームを特定することを特徴とする請求項３に記載の情報処理装置。
【請求項６】
ユーザによる操作に従って、前記表示部に表示する縮小画像の数の変更指示を受け付ける第２の受付手段を更に備え、
前記特定手段は、更に、前記第２の受付手段で受付けた縮小画像の数に従った時間間隔で、前記記憶手段に記憶された動画データを構成する複数のフレームの中から、前記表示部に表示する複数の縮小画像のフレームを特定することを特徴とする請求項１乃至５の何れか１項に記載の情報処理装置。
【請求項７】
動画データを記憶する記憶手段と、前記動画データを構成するフレームと当該フレームの縮小画像とを表示する表示部とを備えた情報処理装置における制御方法であって、
前記情報処理装置の特定手段が、前記記憶手段に記憶された動画データを構成する複数のフレームの中から、前記表示部に表示する複数の縮小画像のフレームを特定する特定工程と、
前記情報処理装置の表示手段が、前記特定工程で特定された複数のフレームの縮小画像を前記表示部に表示する表示工程と、
前記情報処理装置の第１の受付手段が、ユーザによる操作に従って、前記表示工程で表示された複数の縮小画像の中から縮小画像の選択を受け付ける第１の受付工程と、
前記情報処理装置の判定手段が、前記表示工程により表示された複数の縮小画像のうち、前記第１の受付工程により選択を受け付けた縮小画像の前後の縮小画像に対するフレーム間にシーンの異なるフレームがあるか否かを判定する判定工程と、
を備え、
前記特定工程は、前記判定工程により、前記表示工程により表示された複数の縮小画像のうち、前記第１の受付工程により選択を受け付けた縮小画像の前後の縮小画像に対するフレーム間の中にシーンの異なるフレームがあると判定された場合は、当該異なると判定されたフレームを、前記表示部に表示する縮小画像のフレームとして特定することを特徴とする制御方法。
【請求項８】
動画データを記憶する記憶手段と、前記動画データを構成するフレームと当該フレームの縮小画像とを表示する表示部とを備えた情報処理装置で読み取り実行可能なプログラムあって、
前記情報処理装置を、
前記記憶手段に記憶された動画データを構成する複数のフレームの中から、前記表示部に表示する複数の縮小画像のフレームを特定する特定手段と、
前記特定手段で特定された複数のフレームの縮小画像を前記表示部に表示する表示手段と、
ユーザによる操作に従って、前記表示手段で表示された複数の縮小画像の中から縮小画像の選択を受け付ける第１の受付手段と、
前記表示手段により表示された複数の縮小画像のうち、前記第１の受付手段により選択を受け付けた縮小画像の前後の縮小画像に対するフレーム間にシーンの異なるフレームがあるか否かを判定する判定手段として機能させ、
前記特定手段は、前記判定手段により、前記表示手段により表示された複数の縮小画像のうち、前記第１の受付手段により選択を受け付けた縮小画像の前後の縮小画像に対するフレーム間の中にシーンの異なるフレームがあると判定された場合は、当該異なると判定されたフレームを、前記表示部に表示する縮小画像のフレームとして特定することを特徴とするプログラム。
【手続補正２】
【補正対象書類名】明細書
【補正対象項目名】００１２
【補正方法】変更
【補正の内容】
【００１２】
そこで、本発明の目的は、動画データを構成する複数のフレームの中から表示する複数の縮小画像のフレームを特定して、当該特定された複数のフレームの縮小画像を表示部に表示し、ユーザにより当該表示された複数の縮小画像の中から縮小画像の選択を受け付け、当該表示部に表示された複数の縮小画像のうち、当該選択を受け付けた縮小画像の前後の縮小画像に対するフレーム間にシーンの異なるフレームがあるか否かを判定し、当該異なると判定されたフレームを、表示部に表示する縮小画像のフレームとして特定して表示することにより、シーンの異なる目的とするフレームの特定作業を容易にし、かつその特定作業を軽減することである。
【手続補正３】
【補正対象書類名】明細書
【補正対象項目名】００１３
【補正方法】変更
【補正の内容】
【００１３】
本発明は、動画データを記憶する記憶手段と、前記動画データを構成するフレームと当該フレームの縮小画像とを表示する表示部とを備えた情報処理装置であって、前記記憶手段に記憶された動画データを構成する複数のフレームの中から、前記表示部に表示する複数の縮小画像のフレームを特定する特定手段と、前記特定手段で特定された複数のフレームの縮小画像を前記表示部に表示する表示手段と、ユーザによる操作に従って、前記表示手段で表示された複数の縮小画像の中から縮小画像の選択を受け付ける第１の受付手段と、前記表示手段により表示された複数の縮小画像のうち、前記第１の受付手段により選択を受け付けた縮小画像の前後の縮小画像に対するフレーム間にシーンの異なるフレームがあるか否かを判定する判定手段と、を備え、前記特定手段は、前記判定手段により、前記表示手段により表示された複数の縮小画像のうち、前記第１の受付手段により選択を受け付けた縮小画像の前後の縮小画像に対するフレーム間の中にシーンの異なるフレームがあると判定された場合は、当該異なると判定されたフレームを、前記表示部に表示する縮小画像のフレームとして特定することを特徴とする。
【手続補正４】
【補正対象書類名】明細書
【補正対象項目名】００１４
【補正方法】変更
【補正の内容】
【００１４】
また、本発明は、動画データを記憶する記憶手段と、前記動画データを構成するフレームと当該フレームの縮小画像とを表示する表示部とを備えた情報処理装置における制御方法であって、前記情報処理装置の特定手段が、前記記憶手段に記憶された動画データを構成する複数のフレームの中から、前記表示部に表示する複数の縮小画像のフレームを特定する特定工程と、前記情報処理装置の表示手段が、前記特定工程で特定された複数のフレームの縮小画像を前記表示部に表示する表示工程と、前記情報処理装置の第１の受付手段が、ユーザによる操作に従って、前記表示工程で表示された複数の縮小画像の中から縮小画像の選択を受け付ける第１の受付工程と、前記情報処理装置の判定手段が、前記表示工程により表示された複数の縮小画像のうち、前記第１の受付工程により選択を受け付けた縮小画像の前後の縮小画像に対するフレーム間にシーンの異なるフレームがあるか否かを判定する判定工程と、を備え、前記特定工程は、前記判定工程により、前記表示工程により表示された複数の縮小画像のうち、前記第１の受付工程により選択を受け付けた縮小画像の前後の縮小画像に対するフレーム間の中にシーンの異なるフレームがあると判定された場合は、当該異なると判定されたフレームを、前記表示部に表示する縮小画像のフレームとして特定することを特徴とする。
【手続補正５】
【補正対象書類名】明細書
【補正対象項目名】００１５
【補正方法】変更
【補正の内容】
【００１５】
また、本発明は、動画データを記憶する記憶手段と、前記動画データを構成するフレームと当該フレームの縮小画像とを表示する表示部とを備えた情報処理装置で読み取り実行可能なプログラムあって、前記情報処理装置を、前記記憶手段に記憶された動画データを構成する複数のフレームの中から、前記表示部に表示する複数の縮小画像のフレームを特定する特定手段と、前記特定手段で特定された複数のフレームの縮小画像を前記表示部に表示する表示手段と、ユーザによる操作に従って、前記表示手段で表示された複数の縮小画像の中から縮小画像の選択を受け付ける第１の受付手段と、前記表示手段により表示された複数の縮小画像のうち、前記第１の受付手段により選択を受け付けた縮小画像の前後の縮小画像に対するフレーム間にシーンの異なるフレームがあるか否かを判定する判定手段として機能させ、前記特定手段は、前記判定手段により、前記表示手段により表示された複数の縮小画像のうち、前記第１の受付手段により選択を受け付けた縮小画像の前後の縮小画像に対するフレーム間の中にシーンの異なるフレームがあると判定された場合は、当該異なると判定されたフレームを、前記表示部に表示する縮小画像のフレームとして特定することを特徴とする。
【手続補正６】
【補正対象書類名】明細書
【補正対象項目名】００１６
【補正方法】変更
【補正の内容】
【００１６】
本発明は、動画データを構成する複数のフレームの中から表示する複数の縮小画像のフレームを特定して、当該特定された複数のフレームの縮小画像を表示部に表示し、ユーザにより当該表示された複数の縮小画像の中から縮小画像の選択を受け付け、当該表示部に表示された複数の縮小画像のうち、当該選択を受け付けた縮小画像の前後の縮小画像に対するフレーム間にシーンの異なるフレームがあるか否かを判定し、当該異なると判定されたフレームを、表示部に表示する縮小画像のフレームとして特定して表示することにより、シーンの異なる目的とするフレームの特定作業を容易にし、かつその特定作業を軽減することができる。